(57)【要約】【課題】電磁弁及び電源回路を備え、水栓本体の大型化を抑制できる水栓装置を提供すること。【解決手段】水栓装置２は、吐水部３２と、水栓装置２が配置される被取付部１１２に取り付けられる取付部４０と、取付部４０に取り付けられるカバー部材３１と、カバー部材３１の内部に配置される電磁弁３４と、を有する水栓本体３と、被取付部１１２の上面よりも下方に配置され電磁弁３４の電源となる電源回路７と、を備える。また、センサ部３５と、センサ回路及び電磁弁回路を含んで構成される回路ユニット３６と、吐水部３２に水を供給する流路構成部３３，５０と、を更に備え、回路ユニット３６は、流路構成部３３，５０よりも上方側に配置されてもよい。【選択図】図１
2019173485.tif 000002
【特許請求の範囲】
【請求項１】
吐水部を備える水栓装置であって、
前記吐水部と、前記水栓装置が配置される被取付部に取り付けられる取付部と、前記取付部に取り付けられるカバー部材と、前記カバー部材の内部に配置される電磁弁と、を有する水栓本体と、
前記被取付部の上面よりも下方に配置され前記電磁弁の電源となる電源回路と、を備える水栓装置。
【請求項２】
センサ部と、センサ回路及び電磁弁回路を含んで構成される回路ユニットと、前記吐水部に水を供給する流路構成部と、を更に備え、
前記回路ユニットは、前記流路構成部よりも上方側に配置される請求項１に記載の水栓装置。
【請求項３】
前記電源回路は、乾電池、コンデンサ及び回路基板を有し、前記乾電池、前記コンデンサ及び前記回路基板がケース体に収容されて構成される請求項１又は２に記載の水栓装置。
【発明の詳細な説明】
【技術分野】
【０００１】
本発明は、水栓装置に関する。
【背景技術】
【０００２】
従来、水栓本体と、電磁弁と、乾電池などを有する電源回路と、を備える自動水栓装置（水栓装置）が知られている（例えば、特許文献１参照）。特許文献１に記載の自動水栓装置においては、電磁弁及び乾電池は、水栓本体の内部に収容されている。
【先行技術文献】
【特許文献】
【０００３】
【特許文献１】特許第３９６８６１５号公報
【発明の概要】
【発明が解決しようとする課題】
【０００４】
しかし、特許文献１に記載の技術では、電磁弁及び乾電池がセットで水栓本体の内部に配置されるため、水栓本体が大型化する虞がある。
【０００５】
本発明は、電磁弁及び電源回路を備え、水栓本体の大型化を抑制できる水栓装置を提供することを目的とする。
【課題を解決するための手段】
【０００６】
本発明は、吐水部（例えば、後述の吐水部３２）を備える水栓装置（例えば、後述の自動水栓２）であって、前記吐水部と、前記水栓装置が配置される被取付部（例えば、後述の上面板１１２）に取り付けられる取付部（例えば、後述の取付脚４０）と、前記取付部に取り付けられるカバー部材（例えば、後述のカバー部材３１）と、前記カバー部材の内部に配置される電磁弁（例えば、後述の電磁弁３４）と、を有する水栓本体（例えば、後述の水栓本体３）と、前記被取付部の上面よりも下方に配置され前記電磁弁の電源となる電源回路（例えば、後述の電池ボックス７）と、を備える水栓装置に関する。
【０００７】
また、センサ部（例えば、後述のセンサ部３５）と、センサ回路及び電磁弁回路を含んで構成される回路ユニット（例えば、後述の回路ユニット３６）と、前記吐水部に水を供給する流路構成部（例えば、後述の吐水部側流路構成部３３、ボディ側流路構成部５０）と、を更に備え、前記回路ユニットは、前記流路構成部よりも上方側に配置されることが好ましい。
【０００８】
また、前記電源回路は、乾電池（例えば、後述の乾電池７２）、コンデンサ（例えば、後述の電解コンデンサ７３）及び回路基板（例えば、後述の回路基板７４）を有し、前記乾電池、前記コンデンサ及び前記回路基板がケース体（例えば、後述のケース体７１）に収容されて構成されることが好ましい。
【発明の効果】
【０００９】
本発明によれば、電磁弁及び電源回路を備え、水栓本体の大型化を抑制できる水栓装置を提供することができる。
【図面の簡単な説明】
【００１０】
【図１】本発明の一実施形態に係る自動水栓が設けられた洗面台装置を示す斜視図である。
【図２】本実施形態の自動水栓の水栓本体を示す断面図である。
【発明を実施するための形態】
【００１１】
以下、本発明の一実施形態について、図面を参照しながら詳細に説明する。
図１は、本発明の一実施形態に係る自動水栓２が設けられた洗面台装置１を示す斜視図である。
【００１２】
図１に示すように、本実施形態に係る自動水栓２は、洗面台装置１に設けられる。洗面台装置１は、洗面器１１と、本発明に係る自動水栓２（水栓装置）と、洗浄液吐出装置１３と、排水管１５と、止水栓装置１６と、を有する。本発明に係る自動水栓２は、水栓本体３と、電池ボックス７（電源回路）と、給水用ホース１４と、を有する。
【００１３】
洗面器１１は、凹状に形成されるボウル部１１１と、洗面器１１の奥側の上部に配置される上面板１１２（被取付部）と、を有する。ボウル部１１１は、自動水栓２から吐出された水を受ける。
【００１４】
排水管１５は、ボウル部１１１の下部に接続され、上下方向に延びる。排水管１５は、ボウル部１１１から排出された水を、洗面台装置１の外部に導出する。
【００１５】
水栓本体３は、洗面器１１の上面板１１２に取り付けられる。洗面器１１の上面板１１２は、水栓本体３が配置される被取付部である。水栓本体３は、吐水部３２を有する。水栓本体３においては、センサ部３５が物体を検知することにより、吐水部３２からは、水が吐出される。
【００１６】
給水用ホース１４は、水栓本体３の下端部に装着され、水栓本体３の下端部から下方に延びる。給水用ホース１４は、給水管（図示せず）により供給される水を、止水栓装置１６を介して、水栓本体３に供給する。
【００１７】
電池ボックス７は、洗面器１１の上面板１１２の上面よりも下方であって、洗面器１１の下方に配置される。電池ボックス７は、センサ部３５の電源や電磁弁３４（図２参照）の電源となる電源回路を構成する。電池ボックス７は、洗面所の壁（図示せず）と止水栓装置１６とを連結する給水管（図示せず）に取り付けられている。電池ボックス７は、ケース体７１と、乾電池７２と、電解コンデンサ７３（コンデンサ）と、回路基板７４と、を有する。ケース体７１には、乾電池７２、電解コンデンサ７３及び回路基板７４が収容される。
【００１８】
自動水栓２の水栓本体３の詳細について説明する。
図２は、本実施形態の自動水栓２の水栓本体３を示す断面図である。
水栓本体３は、図２に示すように、カバー部材３１と、吐水部３２と、吐水部側流路構成部３３（流路構成部）と、取付脚４０（取付部）と、電磁弁ボディ部６０と、電磁弁３４と、センサ部３５と、回路ユニット３６と、を備える。
【００１９】
カバー部材３１は、上面３１１ａを有して上下方向に延びる胴体筒部３１１と、胴体筒部３１１の上方側の前方側の側面に接続される傾斜筒部３１２と、を有する。カバー部材３１は、取付脚４０に着脱可能に取り付けられる。カバー部材３１の内部には、吐水部３２、吐水部側流路構成部３３、取付脚４０の一部分、電磁弁ボディ部６０、電磁弁３４、センサ部３５及び回路ユニット３６が配置される。
【００２０】
吐水部３２は、水を前方に吐出する吐水口３２１を有する。吐水口３２１は、カバー部材３１の傾斜筒部３１２の先端側の開口３１２ａの内部において、下方側寄りに配置される。吐水部３２は、吐水部側流路構成部３３の先端部に取り付けられている。
【００２１】
吐水部側流路構成部３３は、傾斜筒部３１２の内部の下方側において吐水部３２に接続され、傾斜筒部３１２の傾斜方向に沿って延びる。吐水部側流路構成部３３の後端部は、カバー部材３１の胴体筒部３１１の内部において、後述する電磁弁ボディ部６０のボディ側流路構成部５０に接続される。
【００２２】
センサ部３５は、カバー部材３１の傾斜筒部３１２の先端側の開口３１２ａにおいて、吐水部３２の吐水口３２１よりも上方側に配置される。センサ部３５は、人の手等の物体を検知する。自動水栓２は、人の手等の物体がセンサ部３５の検知範囲内に入ることでセンサ部３５が物体を検知すると、自動的に吐水部３２の吐水口３２１から水を吐出する。
【００２３】
回路ユニット３６は、傾斜筒部３１２の内部の上方側においてセンサ部３５の後部に接続され、傾斜筒部３１２の傾斜方向に沿って、センサ部３５から上り傾斜で延びる。回路ユニット３６は、傾斜筒部３１２の内部において、吐水部側流路構成部３３の上方側に配置される。回路ユニット３６は、吐水部側流路構成部３３及び電磁弁ボディ部６０のボディ側流路構成部５０（流路構成部）よりも上方側に配置される。
【００２４】
回路ユニット３６は、電気回路基板３６１と、ケース体３６２と、を有する。電気回路基板３６１は、制御用のＩＣなどが実装され、ケース体３６２に収容される。電気回路基板３６１には、センサ部３５のセンサ回路や、電磁弁３４を駆動するための電磁弁回路などが配置されている。回路ユニット３６は、カバー部材３１の内部において第１ハーネス３０１（ハーネス）を介して電磁弁３４に接続されると共に、図１及び図２に示すように、第２ハーネス３０２（ハーネス）を介して、洗面器１１の下方に配置される電池ボックス７に接続されている。第１ハーネス３０１及び第２ハーネス３０２は、回路ユニット３６及び電磁弁３４への電源供給用のハーネスである。
【００２５】
取付脚４０は、洗面器１１の上面板１１２（被取付部）に取り付けられる。取付脚４０は、台座部４１と、台座部４１の下面から下方に延びる雄ネジ管４８と、を有する。雄ネジ管４８は、上面板１１２の下面において固定ナット４８２に締め付けられることで、洗面器１１の上面板１１２に固定される。
【００２６】
取付脚４０の貫通穴４０ａには、給水用ホース１４及び第２ハーネス３０２が通される。第２ハーネス３０２は、平板状に形成されており、カバー部材３１の内部の上部側に配置される回路ユニット３６から、カバー部材３１の内部の下方まで通される。そして、カバー部材３１の下方において、給水用ホース１４とともに取付脚４０の内部の貫通穴４０ａを通されて、洗面器１１の下方に配置される電池ボックス７（図１参照）まで延びる。
【００２７】
電磁弁ボディ部６０は、樹脂材料により一体に形成され、連結筒部６１と、ボディ側流路構成部５０（流路構成部）と、を備える。電磁弁ボディ部６０は、例えば、ポリフェニレンスルファイド（ＰＰＳ）樹脂などの樹脂材料で形成される。
【００２８】
連結筒部６１は、電磁弁ボディ部６０の上方側において、上下方向に延びる筒状に形成される。連結筒部６１には、電磁弁３４が連結される。電磁弁３４は、連結筒部６１に連結されることで、ボディ側流路構成部５０の流路の途中に配置され、電磁弁３４において弁の開閉動作が制御されることで、ボディ側流路構成部５０における水の流通が制御される。
【００２９】
水栓本体３に導入された水の流れについて説明する。給水用ホース１４を通してボディ側流路構成部５０に導入された水は、内部の流路を通り、流路の途中に配置された電磁弁３４を経由して、吐水部側流路構成部３３に排出される。ボディ側流路構成部５０から吐水部側流路構成部３３に排出された水は、内部の流路を通って、吐水部３２に導出される。
【００３０】
以上説明した本実施形態に係る自動水栓２によれば、以下のような効果が奏される。
本実施形態の自動水栓２は、吐水部３２と、上面板１１２に取り付けられる取付脚４０と、取付脚４０に取り付けられるカバー部材３１と、カバー部材３１の内部に配置される電磁弁３４と、を有する水栓本体３と、上面板１１２の上面よりも下方に配置され電磁弁３４の電源となる電池ボックス７と、を備える。
【００３１】
そのため、水栓本体３に電池ボックス７を配置する必要がないため、水栓本体３の大型化を抑制できる。また、水栓本体３のカバー部材３１に電池交換用の窓などを設けなくてよいため、意匠性及び清掃性を向上できる。また、水栓本体３のカバー部材３１に電池交換用の窓などを設けなくてよいため、水が浸入する経路を形成せずに、止水性能を向上できる。また、電池ボックス７を上面板１１２の上面よりも下方に配置することで、水栓本体３をスッキリとしたコンパクトに形成できるため、意匠性を向上できる。
【００３２】
また、本実施形態においては、センサ部３５と、センサ回路及び電磁弁回路を含んで構成される回路ユニット３６と、吐水部３２に水を供給する吐水部側流路構成部３３及びボディ側流路構成部５０と、を更に備え、回路ユニット３６は、吐水部側流路構成部３３及びボディ側流路構成部５０よりも上方側に配置される。そのため、吐水部側流路構成部３３及びボディ側流路構成部５０から水が漏水しても、回路ユニット３６は、水がかかることが抑制される。
【００３３】
また、本実施形態においては、電池ボックス７は、乾電池７２、電解コンデンサ７３及び回路基板７４を有し、乾電池７２、電解コンデンサ７３及び回路基板７４がケース体７１に収容されて構成される。これにより、電解コンデンサ７３が水栓本体３から離れた位置に配置されるため、電気的にショートして電解コンデンサ７３が破損しても、水栓本体３の吐水部側流路構成部３３及びボディ側流路構成部５０などが破壊されて漏水されるような二次的な被害を防止できる。
【００３４】
なお、本発明は上記実施形態に限定されるものではなく、本発明の目的を達成できる範囲での変形、改良等は本発明に含まれる。
【符号の説明】
【００３５】
２  自動水栓（水栓装置）
３  水栓本体
７  電池ボックス（電源回路）
３１  カバー部材
３２  吐水部
３３  吐水部側流路構成部（流路構成部）
３５  センサ部
３６  回路ユニット
３４  電磁弁
４０  取付脚（取付部）
５０  ボディ側流路構成部（流路構成部）
７１  ケース体
７２  乾電池
７３  電解コンデンサ（コンデンサ）
７４  回路基板
１１２  上面板（被取付部）
【図１】
2019173485.tif 000003
【図２】
2019173485.tif 000004